(57)【特許請求の範囲】
【請求項１】
伸縮性を有する表地と伸縮性を有する裏地との間に設けられた、伸縮性を有する２以上の羽毛パックと、
前記羽毛パックに充填された羽毛とを備え、
前記羽毛パックが、前記裏地に縫合され、前記表地に縫合されず、
前記表地と前記裏地との縫合は、前身頃と後身頃との境界、ウエスト部及び裾部のみにおいて行なわれており、
前記羽毛パックは、前身頃にのみ設けられており、
前記羽毛パックの厚みが１ｃｍ以下である、スラックス。
【請求項２】
前記羽毛パックの表面は、伸縮生地部と透水生地部を備え、
前記羽毛パックを平面で切断した断面の全てにおいて、その断面における前記伸縮生地部の比率が８０％以上で前記透水生地部の比率が２０％以下であることを特徴とする、請求項１に記載のスラックス。
【発明の詳細な説明】
【技術分野】
【０００１】
本発明は、スラックス、特に防寒用の羽毛を備えるスラックスに関する。
【背景技術】
【０００２】
衣類着用時の防寒のために、羽毛を衣類表面に備える防寒衣類がある。例えばダウンジャケットである。かかる防寒衣類は、表地と裏地の間に羽毛を把持する。そのため、表地又は裏地から羽毛が脱漏しないこと（ダウンプルーフ性）、表地及び裏地が身体の運動に追随して伸縮すること（伸縮性）、ダウンプルーフ性及び伸縮性を保ちながら軽量であること（軽量性）が要望されている。また、防寒のみでなくファッション性を求められることもある。
【０００３】
この問題に対応するものとして、特許文献１には、生地の伸長率や密度に数値限定をした防寒衣類が開示されている。しかし、厳格な数値限定がなされており、かかる防寒衣類を生産することは容易でない。
【０００４】
一方、羽毛を包み込む布材（ダウンパック）によってダウンプルーフ性を高め、表地と裏地の選択自由度を向上させることも考えられる。特許文献２には、ダウンパックが開示されている。しかし、ダウンパック自身に伸縮性を持たせない限り、防寒衣類の伸縮性が低下してしまう。
【０００５】
また、特許文献１も特許文献２も、ダウンジャケット等の上衣を前提に考えられている。スラックス等の脚部に着用する衣類においては、歩行時に頻動する脚に着用するため運動への追随性がより強く求められ、防寒目的の重ね着が予想されないためファッション性も強く求められる。
【先行技術文献】
【特許文献】
【０００６】
【特許文献１】特開２０１２−１７２２７６号公報
【特許文献２】実用新案登録３１３４６０８号公報
【発明の概要】
【発明が解決しようとする課題】
【０００７】
本発明は、ダウンプルーフ性及び軽量性を保持しつつ、運動への追随性及びファッション性に優れたスラックスを提供することを課題とする。
【課題を解決するための手段】
【０００８】
本発明のスラックスは、
伸縮性を有する表地と伸縮性を有する裏地との間に設けられた、伸縮性を有する２以上の羽毛パックと、
前記羽毛パックに充填された羽毛とを備えることを特徴とする。
【０００９】
ここで「伸縮性を有する」とは、３０％以上の伸長率であることを言う。
表地、裏地、羽毛パックの全てが伸縮性を有しているので、スラックス全体として運動への追随性を十分に得ることができる。
また、「間に設けられた」とは、羽毛パックが表地と裏地の間に配置されることを言い、羽毛パックの保持方法を問わない。表地と裏地を縫合して羽毛パックを保持する羽毛保持部を設けてもよいし、表地、裏地の一方又は両方に羽毛パックを縫い付けてもよい。
【００１０】
本発明のスラックスは、
前記羽毛保持部が、前身頃にのみ設けられたことを特徴とする。
【００１１】
後身頃に羽毛を設けなくとも、十分な防寒性能が得られる。後身頃に羽毛保持部がないことで、ファッション的にすっきりした印象となる。また、脚の運動は後側が縮むように折れ曲がるので、後身頃に羽毛保持部がないと運動への追随性が高い。
【００１２】
本発明のスラックスは、
前記羽毛パックの厚みが１ｃｍ以下であることを特徴とする。
【００１３】
羽毛パックが薄くなり、運動への追随性もファッション性も向上する。
【００１４】
本発明のスラックスは、
前記羽毛パックが、前記裏地に縫合され、前記表地に縫合されず、
前記表地と前記裏地との縫合は、前身頃と後身頃との境界、ウエスト部及び裾部のみにおいて行われることを特徴とする。
【００１５】
表地が縫合される箇所は、前身頃と後身頃との境界、ウエスト部及び裾部のみである。すなわち、防寒用の羽毛を有さない通常のスラックスにおいても縫合される箇所のみである。表地に不自然な縫合糸を露出させずに、防寒用の羽毛を有さないスラクッスと同様の外観とでき、ファッション性が向上する。
【００１６】
本発明のスラックスは、
前記羽毛パックの表面は、伸縮生地部と透水生地部を備え、
前記羽毛パックの表面を平面で切断した断面の全てにおいて、その断面における前記伸縮生地部の比率が８０％以上で前記透水生地部の比率が２０％以下であることを特徴とする。
【００１７】
スラックスの水洗いを可能にする。羽毛パックに羽毛を充填した衣類の水洗いにおいては、羽毛パックに流入してしまった水を羽毛パックの外に流出させることが必須である。このために透水生地を用いる。透水生地は伸縮性に乏しいので、羽毛パック全体の伸縮性を維持できるだけの比率で伸縮生地を用いる。
【発明の効果】
【００１８】
本発明のスラックスは、ダウンプルーフ性及び軽量性を保持しつつ、運動への追随性及びファッション性に優れたものである。
【図面の簡単な説明】
【００１９】
【図１】図１は、スラックスを示す図である。（実施例１）
【図２】図２は、羽毛保持部を示す図である。（実施例１）
【図３】図３は、スラックスを示す図である。（実施例２）
【図４】図４は、羽毛パックの保持を示す図である。（実施例２）
【図５】図５は、羽毛パックの表面を示す図である。（実施例３）
【発明を実施するための形態】
【００２０】
以下、３つの実施例を示す。実施例１は、基本的な構成を示すものである。実施例２は、本発明を活用したファッション性の高いスラックスを示すものである。実施例３は、実施例1及び２に用いることのできる羽毛パックを示すものである。
【実施例１】
【００２１】
図１は、スラックスを示す図である。スラックス１には前身頃２、後身頃３、ウエスト部４が設けられている。また、裾部４１（面積を持たない生地の境界線であってもよい）において、上方から伸びた表地と裏地とが縫合されている。
【００２２】
前身頃２には、図において点線で示した多くの羽毛保持部５が設けられている。後身頃３には羽毛保持部が設けられていない。
【００２３】
図２は、羽毛保持部を示す図である。羽毛保持部５は、表地６と裏地７を縫合部８において縫い合わせたものであり、内部に羽毛パック９が格納されている。羽毛パック９の内部には羽毛１０が充填されている。本実施形態において、羽毛１０はダウンであり、羽毛パック９はダウンパックである。羽毛パック９によりダウンプルーフ性が確保される。また、ダウンは軽量である。
【００２４】
羽毛が前身頃２にのみ設けられているが、脚部は前方からの風等によって寒さを感じるので、スラックス１を着用すると、体感として十分に暖かい。
【００２５】
スラックス１は、使用者が歩いたり座ったりする際に、膝の裏側において折れ曲がり、折り重なる。すなわち、後身頃３が折り曲げられることとなる。後身頃３に羽毛保持部５が設けられていないことで、後身頃が薄くなっており折り曲げられる時にじゃまにならない。
【００２６】
表地６及び裏地７は、４５％の伸長率を有している。また、羽毛パック９（を構成する布）は４０％の伸長率を有している。
表地及び裏地７が４５％の伸長率を有しているので、前身頃の膝の部分が直線状（使用者が立っている状態）から半円状（使用者が正座した状態）になっても大きな問題なく使用できる。また、羽毛パック９は羽毛保持部５の中で移動するので、表地６及び裏地７よりも伸長率が小さくても運動に追随する。
運動への追随性を保つため、表地６、裏地７及び羽毛パック９は３０％以上、望ましくは４０％以上の伸長率を有することが好ましい。
【００２７】
羽毛パック９の厚みは７ｍｍである。前身頃２においてこの厚みの分だけ表地６が張り出すが、張り出しが小さく、ファッション性を保ちつつ防寒することができる。厚みは、１ｃｍ以下であることが好ましい。
【実施例２】
【００２８】
図３は、スラックスを示す図である。スラックス１に前身頃２、後身頃３、ウエスト部４が設けられ、裾部４１において表地と裏地が縫合されている点は、実施例１と同様である。
【００２９】
実施例１との主な相違は、羽毛保持部５を有さない点である。羽毛保持部に替えて、図に１点鎖線で示す羽毛保持区画５１が設けられている。羽毛保持区画５１は、表地と裏地を縫合して羽毛パック９を保持するものではない。図の１点鎖線の箇所は、表地が縫合されているものではない。
【００３０】
図４は、羽毛パックの保持を示す図である。羽毛パック９は、縫合部１１において裏地７に縫合され固定されている。羽毛パック９は、表地６に縫合されていない。羽毛パック９を固定しつつ、表地６には縫合糸が露出しない。ファッション性に優れたスラックスである。
【００３１】
表地６と裏地７との縫合部８は、前身頃２と後身頃３の境界である。縫合糸が露出しても、防寒用の羽毛を有さないスラクッスにおいても縫合されている箇所であり、不自然な外観とならない。
【００３２】
本実施例においては、裏地７と羽毛パック９とが縫合された箇所の伸長率が裏地７と羽毛パック９の伸長率のうちの小さいほうで決定されるので、羽毛パック９の伸長率が裏地７と同等であることが好ましい。例えば、実施例１においては裏地７の伸長率を４５％、羽毛パック９の伸長率を４０％としていたが、本実施例では双方を４５％とすることが考えられる。
【実施例３】
【００３３】
図５は、羽毛パックの表面を示す図である。羽毛パック９は、2枚のシート間に羽毛を充填するが、そのうちの１枚のシートを図示したものである。かかる羽毛パック９は、実施例１及び２のスラックス、並びに他のスラックスに使用可能である。
【００３４】
羽毛パック９は、大半が伸縮生地部９１であるが、その中に、透水生地部９２を有している。伸縮生地部９１は例えばメッシュ素材のポリエステルであり、透水生地部９２は例えば非メッシュのポリエステルである。
【００３５】
透水生地部９２の大きさは、例えば２０ｍｍ角の正方形であり、羽毛パック９の全体に対して十分に小さい。透水生地部９２を複数設けることもできるが、図示するように縦横の位置を変えて、一直線上に並ばないようにすることが好ましい。
【００３６】
羽毛パック９はいろいろな方向に伸縮させられるが、その伸縮方向を含む平面で切断した断面（羽毛パックが伸縮する方向の状況を示す）に伸縮生地部９１が十分に含まれて伸縮性が保たれる。伸縮生地部９１の伸縮率をｘ、切断した断面における伸縮生地部９１の比率をｒとすると、伸縮方向に対してｒｘの伸縮率となる。断面の方向によってｒの値が変化し得るが、どの方向についてもｒ＞０．８として、伸縮生地部９１の伸縮率ｘの８０％以上の伸縮率を保つことができる。
【００３７】
本実施例の羽毛パック９を用いることで、水がダウンパック内に停留せずに流れるので、スラックス１を水洗いすることができる。なお、生地を保護するため、洗濯機を用いずに手洗いをすることが好ましい。
【産業上の利用可能性】
【００３８】
本発明のスラックスは、ダウンプルーフ性及び軽量性を保持しつつ、運動への追随性及びファッション性に優れたものである。多くの個人による利用が考えられる。
【符号の説明】
【００３９】
１    スラックス
２    前身頃
３    後身頃
４    ウエスト部
４１  裾部
５    羽毛保持部
５１  羽毛保持区画
６    表地
７    裏地
８    縫合部
９    羽毛パック（ダウンパック）
９１  伸縮生地部
９２  透水生地部
１０    羽毛（ダウン）
１１    縫合部
【図１】
0005950287.tif 000002
【図２】
0005950287.tif 000003
【図３】
0005950287.tif 000004
【図４】
0005950287.tif 000005
【図５】
0005950287.tif 000006